(57)【特許請求の範囲】
【請求項１】
管体へ支持対象物を取り付けるための管体把持具であって、
支持対象物に固定されると共に、前記管体を受ける円弧状受け凹部とを有するブラケットと、
中間部において枢軸により前記ブラケットに枢支され、基端側がブラケットの基端側に配置され、先端側とブラケットとの間で前記管体を締め付け、解放するように回転可能な顎部材と、
前記枢軸と平行な枢ピンにより、前記顎部材の基端側に回転自在に枢支されるナット部材と、
前記ブラケットを貫通して、前記ナット部材に螺合され、締め付けることによりブラケットと前記顎部材との間で前記管体を締め付けて、ブラケットを管体に固定する締め付けボルトと、
前記ブラケットと顎部材との間に係止され、顎部材を解放方向に回転付勢することにより前記ナット部材に螺合する前記締め付けボルトをブラケットに引き込むばね部材とを具備する、ことを特徴とする管体把持具。
【請求項２】
前記ブラケットは、前記顎部材の回転に伴う前記締め付けボルトの相対変位を許容する長孔を具備することを特徴とする請求項１に記載の管体把持具。
【発明の詳細な説明】
【技術分野】
【０００１】
この発明は、例えば、工事現場の仮囲いを構成する鋼管に、太陽電池モジュールを取り付ける際等に用いて有効な管体把持具に関する。
【背景技術】
【０００２】
特許文献１には、太陽電池モジュールのような部材を単管パイプのような管体へ固定するための把持金具であって、管体に対する装着、ロック、取り外し作業が容易で、構造の簡易なものが提案されている。この金具においては、ブラケットが、ほぼ円弧状の凹部を前方へ開口させている。顎部材が、ブラケットに枢支され、保持位置と解放位置との間で回転自在である。ストッパが、ブラケットに枢支され、ロック位置と非ロック位置との間で回転自在で、ロック位置に回転付勢される。ストッパは、ロック位置において、顎部材が保持位置から解放位置へ回転するのを阻止するが、顎部材が解放位置から保持位置へ回転するのを許容し、かつ、非ロック位置において、顎部材が保持位置から解放位置へ回転するのを許容する。付勢手段が、顎部材の回転途上でデッドポイントを越えて顎部材を選択的に、ロック位置又は非ロック位置に保持する。
【先行技術文献】
【特許文献】
【０００３】
【特許文献１】特開2011-6937号公報
【発明の概要】
【発明が解決しようとする課題】
【０００４】
上記特許文献1に記載された従来の管体把持金具は、管体を締め付けることなく把持する構造であるため、管体の軸線方向には移動しやすい。このため、設置環境によっては、使用できないことがある。
したがって、この出願に係る発明は、管体に対して軸線方向にも移動しないように固定可能で簡易構造の管体把持具を提供することを目的としている。
【課題を解決するための手段】
【０００５】
以下、添付図面の符号を参照して説明するが、本発明はこれに限定されるものではない。
上記課題を解決するための、この出願に係る発明の管体把持具１は、ブラケット２と、顎部材３と、ナット部材４と、締め付けボルト５とを具備する。ブラケット２は、支持対象物Ｍに固定され、管体Pを受ける円弧状受け凹部７ａを有する。顎部材３は、中間部において枢軸１２によりブラケット２に枢支され、基端側がブラケット２の基端側に配置され、先端側とブラケット２との間で管体Pを締め付け、解放するように回転可能である。ナット部材４は、枢軸１２と平行な枢ピン４ｂにより、顎部材３の基端側に回転自在に設けられる。締め付けボルト５は、ブラケット２を貫通して、ナット部材４に螺合され、締め付けることによりブラケット２と顎部材３との間で管体Pを締め付けて、ブラケット２を支持対象物Ｍと一体に管体Pに固定する。ブラケット２と顎部材３との間には、顎部材３を解放方向に回転付勢することによりナット部材４に螺合する締め付けボルト５をブラケット２に引き込むばね部材６を係止する。
【発明の効果】
【０００６】
この出願に係る発明の管体把持具１によれば、管体Pに対して軸線方向にも移動しないように固定可能で、装着が比較的容易な管体把持具を提供することができる。顎部材３はばね部材６によりブラケット２に対して管体Ｐの解放方向に回転付勢してボルト５がブラケット２に引き込まれるので、浮き上がることがなく、ガタが生じない。
【図面の簡単な説明】
【０００７】
【図１】本発明に係る管体把持具の正面図である。
【図２】図１の管体把持具の平面図である。
【図３】図１の管体把持具の右側面図である。
【図４】図１の管体把持具の左側面図である。
【図５】図１の管体把持具の断面図である。
【図６】ブラケットの正面図である。
【図７】図６のブラケットの平面図である。
【図８】顎部材の正面図である。
【図９】図８の顎部材の平面図である。
【発明を実施するための形態】
【０００８】
図面を参照してこの発明の実施の形態を説明する。
図１において、管体把持具1は、太陽電池モジュールのような支持対象物Mを支持用の単管パイプのような管体Pに結合するためのものである。
【０００９】
図５によく示すように、管体把持具１は、ブラケット２と、顎部材３と、ナット部材４と、締め付けボルト５と、ばね部材６とを具備する。
【００１０】
ブラケット２は、後部が支持対象物M（図１，図２）に固着され、前部が管体Pに係合される。すなわち、ブラケット２は、左右平行一対の側板部７と、両側板部７，７間を後部において接続する取り付け板部８と、両側板部７，７の上部後方間を接続する支持板部９とを具備する。
【００１１】
図６，図７によく示すように、側板部７は、管体Pを受ける円弧状受け凹部７ａを有し、この凹部７ａが前方へ開放している。側板部７は、上部中間位置に軸受け孔７ｂを具備する。
【００１２】
取り付け板部８は、両側板部７の後縁間を、これらと直角に接続する。取り付け板部８は、ボルト孔８ａを有し、図示しないボルトで支持対象物Ｍ（図１，２）に固着される。
【００１３】
支持板部９は、両側板部７の上縁間を、これらと直角に接続する。支持板部９は、締め付けボルト５を挿通するためのボルト孔９ａを有する。ボルト孔９ａは、顎部材３の回転に伴う締め付けボルト５の変位を許容すべく顎部材３の回転方向の長孔に形成されている。
【００１４】
顎部材３は、平行一対の長尺のアーム板１０と、これらの上縁間を直角に接続する押さえ板１１とからなり、中間部において枢軸１２によりブラケット２の軸受け孔７ｂに枢支され、基端側がブラケット２の内側、支持板部９の下方位置に配置される。したがって、顎部材３は、それの先端側とブラケット２との間で管体Pを締め付け、解放するように回転可能である。図８，図９によく示すように、アーム板１０は、枢軸１２を挿通させる軸孔１０ａを中間部に有し、基端部にナット部材４の枢ピン４ｂを回転自在に受けるピン受け孔１０ｂを有する。
ばね部材６は、顎部材３と支持板部９と間に介設される。ばね部材６の中間部は枢軸１２に巻き回され、一端部は支持板部９の前端に折り曲げ形成された係止片９ｂに係止され、他端部は顎部材３の押さえ板１１の下面に当接して係止される。ばね部材６は、支持板部９に対して顎部材３の先端側を押し上げる（基端側を押し下げる）回転方向に付勢している。
【００１５】
図８，９によく示すように、ナット部材４は、締め付けボルト５を螺合させる縦方向のねじ孔４ａと、顎部材３の基端部においてアーム板１０，１０間に枢支するための枢ピン４ｂとを具備する。枢ピン４ｂはアーム板１０のピン受け孔１０ｂに回転自在に受け入れられるようにナット部材４の左右両側に突出する。
【００１６】
締め付けボルト５は、ブラケット２の支持板部９のボルト孔９ａを自在に貫通して、ナット部材４のねじ孔４ａに螺合され、これを貫通する。締め付けボルト５を締め付けることにより、顎部材３の基端側を引き上げるように回転させ、ブラケット２と顎部材３との間で管体Pを締め付ける。
【００１７】
支持対象物Mを、管体Pに支持する場合、図１に仮想線で示すように、ボルト５を弛めて顎部材３の基端側を下降させることにより、ブラケット２と顎部材３との間を開放状態に置き、支持対象物Mを支え持って、顎部材３を管体Pに掛け止め、管体Ｐ上に仮止めする。次いで、ボルト５を締め付けることにより、ブラケット２と顎部材３との間で管体Pを締め付け固定する。ボルト５を弛めている状態では、ばね部材６により顎部材３の基端側を押し下げる方向に回転付勢しているので、ナット部材４に螺合しているボルト５を引き下げ、ボルト５の座面を支持板部９に押し当て、ボルト５の浮きを妨げる。ボルト５の回転操作に伴ってばね部材６により顎部材３が同期的に締め込み、解放動作する。ブラケット２に管体Pを受け入れて管体Ｐ上に仮止めした状態のままでボルト５を締めていないと、顎部材３の先端部が上位置に立ち上がっているので、状態を確認しやすく、ボルト５の締め忘れを防止できる。
【符号の説明】
【００１８】
１    管体把持具
２    ブラケット
３    顎部材
４    ナット部材
４ａ  ねじ孔
４ｂ  枢ピン
５    締め付けボルト
６    ばね部材
７    ブラケットの側板部
７ａ  軸受け孔
７ｂ  受け凹部
８    ブラケットの取り付け板部
８ａ  ボルト孔
９    ブラケットの支持板部
９ａ  ボルト孔
９ｂ  係止片
１０    顎部材のアーム板
１０ａ  軸孔
１０ｂ  長孔
１１    押さえ板
１２    枢軸
P    管体
M    支持対象物
【図１】
0005437412.tif 000002
【図２】
0005437412.tif 000003
【図３】
0005437412.tif 000004
【図４】
0005437412.tif 000005
【図５】
0005437412.tif 000006
【図６】
0005437412.tif 000007
【図７】
0005437412.tif 000008
【図８】
0005437412.tif 000009
【図９】
0005437412.tif 000010